(57)【特許請求の範囲】
【請求項１】
放射線を出力する放射線源と、
被写体を透過した前記放射線を検出して放射線画像情報に変換する放射線変換パネルを収容する放射線検出カセッテと、
前記被写体に配置され且つ該被写体を特定するための被写体ＩＤ情報が記憶されたＲＦＩＤタグと、
複数の被写体ＩＤ情報が記憶されたＩＤ記憶部と、
ＩＤ照合部と、
前記各被写体ＩＤ情報に対応する放射線照射線量が記憶された放射線照射線量記憶部と、
を有し、
前記放射線検出カセッテは、第１無線通信手段をさらに有し、
前記放射線源は、前記第１無線通信手段と無線通信が可能な第２無線通信手段と共に撮影装置に収容され、
前記第１無線通信手段は、前記ＲＦＩＤタグから無線通信により前記被写体ＩＤ情報を受信し、
前記ＩＤ照合部は、
前記ＩＤ記憶部に記憶された各被写体ＩＤ情報と、前記受信された被写体ＩＤ情報とを照合して、一致する被写体ＩＤ情報があれば、該一致する被写体ＩＤ情報に応じた放射線照射線量を前記放射線照射線量記憶部から読み出し、
前記読み出した放射線照射線量を、前記放射線画像情報の撮影時に、前記一致する被写体ＩＤ情報の被写体に照射される放射線の放射線照射線量とみなして、該一致する被写体ＩＤ情報と、前記読み出した放射線照射線量とを対応付けることを特徴とする放射線画像撮影システム。
【請求項２】
請求項１記載のシステムにおいて、
前記撮影装置及び前記放射線検出カセッテを制御し、第３無線通信手段を備える制御装置をさらに有し、
前記ＩＤ記憶部、前記ＩＤ照合部及び前記放射線照射線量記憶部は、前記放射線検出カセッテ及び／又は前記制御装置に配置されることを特徴とする放射線画像撮影システム。
【請求項３】
請求項２記載のシステムにおいて、
前記ＩＤ記憶部、前記ＩＤ照合部及び前記放射線照射線量記憶部が前記放射線検出カセッテに配置される場合に、前記第１無線通信手段は、前記対応付けた被写体ＩＤ情報及び放射線照射線量を無線通信により前記第３無線通信手段に送信することを特徴とする放射線画像撮影システム。
【請求項４】
請求項２記載のシステムにおいて、
前記ＩＤ記憶部、前記ＩＤ照合部及び前記放射線照射線量記憶部が前記制御装置に配置される場合に、
前記第１無線通信手段は、前記ＲＦＩＤタグから受信した前記被写体ＩＤ情報を無線通信により前記第３無線通信手段に送信し、
前記ＩＤ照合部は、前記第３無線通信手段が受信した前記被写体ＩＤ情報と、前記ＩＤ記憶部に記憶された各被写体ＩＤ情報とを照合することを特徴とする放射線画像撮影システム。
【請求項５】
請求項２記載のシステムにおいて、
前記ＩＤ記憶部及び前記ＩＤ照合部が前記放射線検出カセッテに配置され、前記放射線照射線量記憶部が前記制御装置に配置される場合に、
前記ＩＤ照合部は、前記ＩＤ記憶部に記憶された各被写体ＩＤ情報と、前記受信された被写体ＩＤ情報とを照合して、一致する被写体ＩＤ情報があれば、該一致する被写体ＩＤ情報を前記第１無線通信手段から無線通信により前記第３無線通信手段に送信し、送信した前記一致する被写体ＩＤ情報と、前記放射線照射線量記憶部に記憶され且つ前記一致する被写体ＩＤ情報に応じた放射線照射線量とを対応付けることを特徴とする放射線画像撮影システム。
【請求項６】
請求項２〜５のいずれか１項に記載のシステムにおいて、
前記第１〜第３無線通信手段は互いに無線通信が可能であり、前記第１〜第３無線通信手段による無線通信は、ＵＷＢを用いた無線通信であることを特徴とする放射線画像撮影システム。
【請求項７】
請求項２記載のシステムにおいて、
前記放射線検出カセッテに前記ＩＤ記憶部、前記ＩＤ照合部及び前記放射線照射線量記憶部が配置され、前記制御装置に複数の被写体ＩＤ情報が記憶された制御用ＩＤ記憶部、制御用ＩＤ照合部及び制御用放射線照射線量記憶部が配置され、
前記制御用ＩＤ照合部は、前記第３無線通信手段で受信された被写体ＩＤ情報と、前記制御用ＩＤ記憶部に記憶された各被写体ＩＤ情報とを照合して、一致する被写体ＩＤ情報があれば、前記第３無線通信手段で受信された放射線照射線量を前記制御用放射線照射線量記憶部に記憶させることを特徴とする放射線画像撮影システム。
【請求項８】
請求項７記載のシステムにおいて、
前記制御装置は、前記撮影装置から前記被写体の撮影条件の送信要求を受信したときに、前記制御用放射線照射線量記憶部内に記憶された前記放射線照射線量を含む前記撮影条件を前記撮影装置に送信することを特徴とする放射線画像撮影システム。
【請求項９】
請求項２〜８のいずれか１項に記載のシステムにおいて、
前記第１無線通信手段は、前記放射線変換パネルにて変換された前記放射線画像情報を、無線通信により前記第３無線通信手段に送信することを特徴とする放射線画像撮影システム。
【請求項１０】
請求項１記載のシステムにおいて、
前記撮影装置及び前記放射線検出カセッテを制御する制御装置をさらに有し、
前記第１無線通信手段は、前記対応付けた被写体ＩＤ情報及び放射線照射線量を無線通信により前記第２無線通信手段に送信し、
前記撮影装置は、前記第２無線通信手段にて受信した前記対応付けた被写体ＩＤ情報及び放射線照射線量を前記制御装置に転送することを特徴とする放射線画像撮影システム。
【請求項１１】
請求項１０記載のシステムにおいて、
前記放射線検出カセッテに前記ＩＤ記憶部、前記ＩＤ照合部及び前記放射線照射線量記憶部が配置され、前記制御装置に複数の被写体ＩＤ情報が記憶された制御用ＩＤ記憶部、制御用ＩＤ照合部及び制御用放射線照射線量記憶部が配置され、
前記制御用ＩＤ照合部は、前記撮影装置から前記制御装置に転送された被写体ＩＤ情報と、前記制御用ＩＤ記憶部に記憶された各被写体ＩＤ情報とを照合して、一致する被写体ＩＤ情報があれば、前記制御装置に転送された放射線照射線量を前記制御用放射線照射線量記憶部に記憶させることを特徴とする放射線画像撮影システム。
【請求項１２】
請求項１〜１１のいずれか１項に記載のシステムにおいて、
前記第１無線通信手段と前記ＲＦＩＤタグとの間の無線通信は、ＵＷＢを用いた無線通信であることを特徴とする放射線画像撮影システム。
【請求項１３】
請求項１〜１２のいずれか１項に記載のシステムにおいて、
前記放射線変換パネルは、前記放射線を電気信号に直接変換することにより前記放射線画像情報を取得することを特徴とする放射線画像撮影システム。
【請求項１４】
請求項１記載のシステムにおいて、
前記放射線変換パネル、前記ＩＤ記憶部、前記ＩＤ照合部、前記放射線照射線量記憶部及び前記第１無線通信手段は、略矩形状の筐体内に収容され、
前記筐体は、前記放射線を透過させる材料からなることを特徴とする放射線画像撮影システム。
【請求項１５】
請求項１〜１４のいずれか１項に記載のシステムにおいて、
表示装置と、前記撮影装置、前記放射線検出カセッテ及び前記表示装置を制御する制御装置とをさらに有し、
前記制御装置と前記表示装置との間では、ＵＷＢによる無線通信が行われることを特徴とする放射線画像撮影システム。
【請求項１６】
請求項１〜１５のいずれか１項に記載のシステムにおいて、
前記ＲＦＩＤタグを備えるリストバンドが、前記被写体としての患者の手首に装着されることを特徴とする放射線画像撮影システム。
【発明の詳細な説明】
【技術分野】
【０００１】
本発明は、被写体を透過した放射線を検出し、検出した前記放射線を放射線画像情報に変換する放射線変換パネルを備えた放射線検出カセッテを有する放射線画像撮影システムに関する。
【背景技術】
【０００２】
医療分野において、被写体に放射線を照射し、該被写体を透過した前記放射線を放射線変換パネルに導いて放射線画像を撮影する放射線画像撮影装置が広汎に使用されている。この場合、前記放射線変換パネルとしては、前記放射線画像が露光記録される従来からの放射線フイルムや、蛍光体に前記放射線画像としての放射線エネルギを蓄積し、励起光を照射することで前記放射線画像を輝尽発光光として取り出すことのできる蓄積性蛍光体パネルが知られている。これらの放射線変換パネルは、前記放射線画像が記録された放射線フイルムを現像装置に供給して現像処理を行い、あるいは、前記蓄積性蛍光体パネルを読取装置に供給して読取処理を行うことで、可視画像としての前記放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
ところで、これらの放射線変換パネルを収容する放射線検出カセッテを用いた放射線画像撮影システムでは、被写体としての患者を特定するための被写体ＩＤ情報を用いて、放射線画像の撮影や放射線画像情報の管理を行っている（特許文献１及び２参照）。
【０００５】
すなわち、特許文献１には、放射線検出カセッテ内の記憶部に、被写体ＩＤ情報を含む放射線画像の撮影に関する識別情報を予め記憶させ、放射線画像の撮影毎に次に撮影する被写体の識別情報を表示装置に表示させることで、該放射線画像の撮影を効率よく行わせることが提案されている。
【０００６】
また、特許文献２には、患者の体の一部に装着されたＩＤタグの被写体ＩＤ情報を携帯医療端末で読み取り、この被写体ＩＤ情報を医療施設コンピュータに送信することが提案されている。
【０００７】
【特許文献１】特開２００３−１７２７８３号公報
【特許文献２】特開２００５−２４５８２８号公報
【発明の開示】
【発明が解決しようとする課題】
【０００８】
ところで、放射線画像の撮影時に放射線源から被写体を介して放射線検出カセッテに照射される放射線に関し、その放射線照射線量は被写体毎に異なる。すなわち、該被写体毎に最適な放射線照射線量が存在するので、前記放射線照射線量については、前記被写体毎に管理され、あるいは、調整される必要がある。しかしながら、特許文献１及び２では、前記放射線照射線量について前記被写体毎に管理していないので、放射線画像の撮影時に、前記被写体に対して適切な放射線照射線量の放射線を照射することができない。
【０００９】
本発明は、前記の課題に鑑みなされたものであり、放射線画像の撮影時における放射線の放射線照射線量を、被写体毎に管理及び調整することを可能とする放射線画像撮影システムを提供することを目的とする。
【課題を解決するための手段】
【００１０】
本発明の放射線画像撮影システムは、
放射線を出力する放射線源と、
被写体を透過した前記放射線を検出して放射線画像情報に変換する放射線変換パネルを収容する放射線検出カセッテと、
前記被写体に配置され且つ該被写体を特定するための被写体ＩＤ情報が記憶されたＲＦＩＤタグと、
複数の被写体ＩＤ情報が記憶されたＩＤ記憶部と、
ＩＤ照合部と、
前記各被写体ＩＤ情報に対応する放射線照射線量が記憶された放射線照射線量記憶部と、
を有し、
前記放射線検出カセッテは、第１無線通信手段をさらに有し、
前記放射線源は、前記第１無線通信手段と無線通信が可能な第２無線通信手段と共に撮影装置に収容され、
前記第１無線通信手段は、前記ＲＦＩＤタグから無線通信により前記被写体ＩＤ情報を受信し、
前記ＩＤ照合部は、前記ＩＤ記憶部に記憶された各被写体ＩＤ情報と、前記受信された被写体ＩＤ情報とを照合して、一致する被写体ＩＤ情報があれば、該一致する被写体ＩＤ情報に応じた放射線照射線量を前記放射線照射線量記憶部から読み出し、前記読み出した放射線照射線量を、前記放射線画像情報の撮影時に、前記一致する被写体ＩＤ情報の被写体に照射される放射線の放射線照射線量とみなして、該一致する被写体ＩＤ情報と、前記読み出した放射線照射線量とを対応付けることを特徴とする。
【発明の効果】
【００１１】
本発明によれば、前記第１無線通信手段は、前記ＲＦＩＤタグから無線通信により前記被写体ＩＤ情報を受信し、前記ＩＤ照合部は、受信した前記被写体ＩＤ情報と、前記ＩＤ記憶部に記憶された前記各被写体ＩＤ情報とを照合して、一致する被写体ＩＤ情報があれば、当該一致する被写体ＩＤ情報と、前記放射線照射線量記憶部に記憶され且つ前記一致する被写体ＩＤ情報に応じた放射線照射線量とを対応付ける。
【００１２】
これにより、被写体毎に前記放射線照射線量を管理することが可能となり、放射線画像の撮影時における放射線の放射線照射線量を被写体毎に調整することができる。
【発明を実施するための最良の形態】
【００１３】
図１に示すように、本実施形態に係る放射線画像撮影システム１０が設置された手術室１２には、患者１４が横臥する手術台（ベッド）１６が配置されると共に、医師１８が手術に使用する各種器具が載置される器具台２０が手術台１６の側部に配置される。また、手術台１６の周りには、麻酔器、吸引器、心電計、血圧計等、手術に必要な様々な機器が配置される。
【００１４】
放射線画像撮影システム１０は、撮影条件に従った線量（放射線照射線量）からなる放射線Ｘを被写体としての患者１４に照射するための撮影装置２２と、患者１４を透過した放射線Ｘを検出する放射線検出器（放射線変換パネル）４０（図２〜図５参照）を内蔵した放射線検出カセッテ２４と、放射線検出器４０によって検出された放射線Ｘに基づく放射線画像を表示する表示装置２６と、撮影装置２２、放射線検出カセッテ２４及び表示装置２６を制御するコンソール（制御装置）２８とを備える。また、患者１４の手首には、該患者１４を特定するための被写体ＩＤ情報が記憶されたＲＦＩＤ（Ｒａｄｉｏ  Ｆｒｅｑｕｅｎｃｙ  ＩＤｅｎｔｉｆｉｃａｔｉｏｎ）タグ１８２を備えたリストバンド１８０が装着されている（図１及び図３参照）。なお、撮影装置２２、放射線検出カセッテ２４、表示装置２６及びコンソール２８間は、ＵＷＢ（Ｕｌｔｒａ  Ｗｉｄｅ  Ｂａｎｄ）を用いた無線通信による信号の送受信が行われ、さらに、放射線検出カセッテ２４とＲＦＩＤタグ１８２との間も、ＵＷＢを用いた無線通信による信号の送受信が行われる。
【００１５】
撮影装置２２は、自在アーム３０に連結され、患者１４の撮影部位に応じた所望の位置に移動可能であると共に、医師１８による手術の邪魔とならない位置に待避可能である。同様に、表示装置２６は、自在アーム３２に連結され、撮影された放射線画像を医師１８が容易に確認できる位置に移動可能である。
【００１６】
図２は、放射線検出カセッテ２４の内部構成図である。放射線検出カセッテ２４は、放射線Ｘを透過させる材料からなるケーシング（筐体）３４を備える。ケーシング３４の内部には、放射線Ｘが照射されるケーシング３４の照射面３６側から、患者１４による放射線Ｘの散乱線を除去するグリッド３８、患者１４を透過した放射線Ｘを検出する放射線検出器４０、及び、放射線Ｘのバック散乱線を吸収する鉛板４２が順に配設される。なお、ケーシング３４の照射面３６をグリッド３８として構成してもよい。
【００１７】
また、ケーシング３４の内部には、放射線検出カセッテ２４の電源であるバッテリ４４と、バッテリ４４から供給される電力により放射線検出器４０を駆動制御するカセッテ制御部４６と、放射線検出器４０によって検出した放射線Ｘの情報を含む信号をコンソール２８との間で送受信する送受信機（第１無線通信手段）４８とが収容される。なお、カセッテ制御部４６及び送受信機４８には、放射線Ｘが照射されることによる損傷を回避するため、ケーシング３４の照射面３６側に鉛板等を配設しておくことが好ましい。
【００１８】
図３は、撮影装置２２、放射線検出カセッテ２４及び手術台１６の側面図である。放射線検出カセッテ２４の送受信機４８は、ＲＦＩＤタグ１８２から無線通信により、該ＲＦＩＤタグ１８２に記憶されている患者１４の被写体ＩＤ情報を受信可能である。また、送受信機４８は、撮影装置２２内の送受信機（第２無線通信手段）７６と無線通信による信号の送受信が可能である。
【００１９】
図４は、放射線検出器４０の回路構成ブロック図である。放射線検出器４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図４では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。従って、放射線検出カセッテ２４内に放射線検出器４０を冷却する手段を配設することが好ましい。
【００２０】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、読取回路を構成するマルチプレクサ６６に接続される。ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、カセッテ制御部４６からアドレス信号が供給される。
【００２１】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、カセッテ制御部４６からアドレス信号が供給される。マルチプレクサ６６には、Ａ／Ｄ変換器７０が接続され、Ａ／Ｄ変換器７０によってデジタル信号に変換された放射線画像情報がカセッテ制御部４６に供給される。
【００２２】
図５は、撮影装置２２、放射線検出カセッテ２４、表示装置２６、コンソール２８及びＲＦＩＤタグ１８２からなる放射線画像撮影システム１０の構成ブロック図である。なお、コンソール２８には、病院内の放射線科において取り扱われる放射線画像情報やその他の情報を統括的に管理する放射線科情報システム（ＲＩＳ）２９が接続され、また、ＲＩＳ２９には、病院内の医事情報を統括的に管理する医事情報システム（ＨＩＳ）３１が接続される。
【００２３】
撮影装置２２は、撮影スイッチ７２と、放射線源７４と、送受信機７６と、線源制御部７８とを有する。
【００２４】
送受信機７６は、コンソール２８から無線通信により撮影条件を受信する一方、コンソール２８に対して無線通信による撮影完了信号等を送信する。また、送受信機７６は、前述したように、放射線検出カセッテ２４の送受信機４８との間で無線通信が可能である。
【００２５】
線源制御部７８は、撮影スイッチ７２から供給される撮影開始信号及び送受信機７６から供給される撮影条件に基づいて放射線源７４を制御する。放射線源７４は、線源制御部７８からの制御に基づいて放射線Ｘを出力する。
【００２６】
一方、放射線検出カセッテ２４のカセッテ制御部４６は、アドレス信号発生部８０と、画像メモリ８２と、カセッテＩＤメモリ８４と、ＩＤ照合部１６０と、ＲＦＩＤメモリ（ＩＤ記憶部）１８４と、線量記憶部（放射線照射線量記憶部）１８６とを備える。
【００２７】
アドレス信号発生部８０は、放射線検出器４０を構成するライン走査駆動部５８のアドレスデコーダ６０及びマルチプレクサ６６のアドレスデコーダ６８に対してアドレス信号を供給する。画像メモリ８２は、放射線検出器４０によって検出された放射線画像情報を記憶する。カセッテＩＤメモリ８４は、放射線検出カセッテ２４を特定するためのカセッテＩＤ情報を記憶する。送受信機４８は、コンソール２８から無線通信により送信要求信号を受信する一方、コンソール２８に対して、カセッテＩＤメモリ８４に記憶されたカセッテＩＤ情報及び画像メモリ８２に記憶された放射線画像情報を無線通信により送信する。
【００２８】
ＲＦＩＤメモリ１８４には、複数の患者１４の被写体ＩＤ情報が記憶されている。線量記憶部１８６には、放射線画像の撮影時に患者１４に照射される放射線Ｘの最適な放射線照射線量が患者１４毎（被写体毎）に記憶されている。
【００２９】
ＩＤ照合部１６０は、送受信機４８が受信した被写体ＩＤ情報と、ＲＦＩＤメモリ１８４内に記憶されている各被写体ＩＤ情報とを照合し、一致する被写体ＩＤ情報があれば、前記一致する被写体ＩＤ情報に応じた放射線照射線量を線量記憶部１８６から読み出す。この場合、ＩＤ照合部１６０は、前記読み出した放射線照射線量が、放射線画像の撮影時に前記一致する被写体ＩＤ情報の患者１４に照射される放射線Ｘの最適な放射線照射線量であるとみなして、前記一致する被写体ＩＤ情報と、前記読み出した放射線照射線量とを対応付けて、送受信機４８から無線通信によりコンソール２８の送受信機（第３無線通信手段）９６に送信する。
【００３０】
表示装置２６は、コンソール２８から放射線画像情報を受信する受信機９０と、受信した放射線画像情報の表示制御を行う表示制御部９２と、表示制御部９２によって処理された放射線画像情報を表示する表示部９４とを備える。
【００３１】
コンソール２８は、送受信機９６と、撮影条件管理部（制御用放射線照射線量記憶部）９８と、画像処理部（画像処理手段）１００と、画像メモリ１０１と、患者情報管理部１０２と、カセッテ情報管理部１０４と、ＩＤ照合部（制御用ＩＤ照合部）１６２と、ＲＦＩＤメモリ（制御用ＩＤ記憶部）１８８とを備える。
【００３２】
送受信機９６は、撮影装置２２、放射線検出カセッテ２４及び表示装置２６に対して、放射線画像情報を含む必要な情報を無線通信により送受信する。撮影条件管理部９８は、撮影装置２２による撮影に必要な撮影条件を管理する。画像処理部１００は、放射線検出カセッテ２４から送信された放射線画像情報に対する画像処理を行う。画像メモリ１０１は、前記画像処理された放射線画像情報を記憶する。患者情報管理部１０２は、撮影対象である患者１４の患者情報を管理する。カセッテ情報管理部１０４は、放射線検出カセッテ２４から送信されたカセッテＩＤ情報を管理する。
【００３３】
ＲＦＩＤメモリ１８８には、放射線検出カセッテ２４内のＲＦＩＤメモリ１８４と同様に、複数の患者１４の被写体ＩＤ情報が記憶されている。ＩＤ照合部１６２は、送受信機９６にて受信された前記被写体ＩＤ情報と、ＲＦＩＤメモリ１８８に記憶されている各被写体ＩＤ情報とを照合する。この場合、一致する被写体ＩＤ情報があるとＩＤ照合部１６２が判定すれば、コンソール２８は、前記一致する被写体ＩＤ情報と共に送受信機９６で受信された前記放射線照射線量に基づいて、該放射線照射線量に応じた撮影条件を撮影条件管理部９８に記憶（登録）させる。なお、撮影条件管理部９８内において、前記一致する被写体ＩＤ情報の患者１４に関し、既に撮影条件が登録されていれば、コンソール２８は、撮影条件管理部９８に登録されている撮影条件を、前記放射線照射線量に応じた撮影条件に更新させる。
【００３４】
また、コンソール２８は、撮影装置２２、放射線検出カセッテ２４及び表示装置２６に対して無線通信による信号の送受信を行うことができるのであれば、手術室１２の外に設置してもよい。
【００３５】
なお、撮影条件とは、患者１４の撮影部位に対して、適切な放射線照射線量からなる放射線Ｘを照射するための管電圧、管電流、照射時間等を決定するための条件であり、例えば、撮影部位、撮影方法等の条件を挙げることができる。患者情報とは、患者１４の氏名、性別、患者ＩＤ番号等、患者１４を特定するための情報である。これらの撮影条件及び患者情報を含む撮影のオーダリング情報は、コンソール２８で直接設定し、あるいは、ＲＩＳ２９を介してコンソール２８に外部から供給することができるが、放射線画像撮影システム１０においては、ＲＦＩＤタグ１８２から放射線検出カセッテ２４に被写体ＩＤ情報が送信されることに起因して、放射線検出カセッテ２４からコンソール２８に送信された放射線照射線量に基づく撮影条件を撮影条件管理部９８に登録（記憶）させるようにしている。
【００３６】
本実施形態に係る放射線画像撮影システム１０は、基本的には以上のように構成されるものであり、次にその動作について説明する。
【００３７】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１０２に予め登録しておく。また、放射線照射線量や撮影部位や撮影方法が予め決まっている場合には、これらの撮影条件を撮影条件管理部９８に予め登録しておく。以上の準備作業が終了した状態において、患者１４に対する手術が遂行される。
【００３８】
手術中において放射線画像の撮影を行う場合、医師１８又は担当する放射線技師は、患者１４と手術台１６との間の所定位置に、照射面３６を撮影装置２２側とした状態で放射線検出カセッテ２４を設置する。次いで、撮影装置２２を放射線検出カセッテ２４に対向する位置に適宜移動させた後、撮影スイッチ７２を操作して撮影を行う。
【００３９】
図６は、ＲＦＩＤタグ１８２から放射線検出カセッテ２４への被写体ＩＤ情報の送信（ステップＳ１）より、患者１４に対する放射線Ｘの照射（ステップＳ１３）に至るまでの放射線画像撮影システム１０の動作を説明するためのフローチャートである。
【００４０】
ステップＳ１において、医師１８又は担当する放射線技師が、患者１４と手術台１６との間の所定位置に、照射面３６を撮影装置２２側とした状態で放射線検出カセッテ２４を設置した際に、ＲＦＩＤタグ１８２は、自己の被写体ＩＤ情報を発信しており、放射線検出カセッテ２４の送受信機４８が前記被写体ＩＤ情報を受信すると（ステップＳ２）、ＩＤ照合部１６０は、送受信機４８が受信した被写体ＩＤ情報と、ＲＦＩＤメモリ１８４内に記憶されている各被写体ＩＤ情報とを照合し、一致する被写体ＩＤ情報があるか否かを判定する（ステップＳ３）。
【００４１】
ステップＳ３において、一致する被写体ＩＤ情報があると判定した場合に、ＩＤ照合部１６０は、前記一致する被写体ＩＤ情報に応じた放射線照射線量を線量記憶部１８６から読み出し、前記一致する被写体ＩＤ情報と、前記読み出した放射線照射線量とを対応付けて、送受信機４８から無線通信により送受信機９６に送信する（ステップＳ４）。
【００４２】
なお、ステップＳ３において、一致する被写体ＩＤ情報がないとＩＤ照合部１６０が判定した場合に、放射線検出カセッテ２４では、ステップＳ４以降の処理を行わず、ステップＳ２の処理を再度実行する。
【００４３】
ステップＳ５において、コンソール２８の送受信機９６が前記対応付けた被写体ＩＤ情報及び放射線照射線量を受信すると、ＩＤ照合部１６２は、送受信機９６にて受信された被写体ＩＤ情報と、ＲＦＩＤメモリ１８８に記憶されている各被写体ＩＤ情報とを照合し、一致する被写体ＩＤ情報があるか否かを判定する（ステップＳ６）。
【００４４】
ステップＳ６において、一致する被写体ＩＤ情報があるとＩＤ照合部１６２が判定した場合に、コンソール２８は、前記一致する被写体ＩＤ情報と共に送受信機９６にて受信された放射線照射線量に基づく撮影条件を撮影条件管理部９８に記憶（更新）させる（ステップＳ７）。
【００４５】
なお、ステップＳ６において、一致する被写体ＩＤ情報がないとＩＤ照合部１６２が判定した場合に、コンソール２８では、ステップＳ７以降の処理を行わず、ステップＳ５の処理を再度実行する。
【００４６】
次に、ステップＳ８において医師１８又は放射線技師が撮影スイッチ７２（図５参照）を操作すると、撮影装置２２の線源制御部７８は、送受信機７６、９６を介して、コンソール２８に対して撮影条件の送信を要求する（ステップＳ９）。
【００４７】
コンソール２８は、ステップＳ１０において前記要求を受信し、次いで、撮影条件管理部９８に登録されている当該患者１４の撮影部位に係る撮影条件を、送受信機９６、７６を介して撮影装置２２に送信する（ステップＳ１１）。線源制御部７８は、ステップＳ１２において前記撮影条件を受信すると、前記撮影条件に従って放射線源７４を制御して、所定の放射線照射線量（被写体ＩＤ情報に応じた放射線照射線量）からなる放射線Ｘを患者１４に照射する（ステップＳ１３）。
【００４８】
なお、ステップＳ１３以降において、患者１４を透過した放射線Ｘは、放射線検出カセッテ２４のグリッド３８によって散乱線が除去された後、放射線検出器４０に照射され、放射線検出器４０を構成する各画素５０の光電変換層５１によって電気信号に変換され、蓄積容量５３に電荷として保持される（図４参照）。次いで、各蓄積容量５３に保持された患者１４の放射線画像情報である電荷情報は、カセッテ制御部４６を構成するアドレス信号発生部８０からライン走査駆動部５８及びマルチプレクサ６６に供給されるアドレス信号に従って読み出される。
【００４９】
すなわち、ライン走査駆動部５８のアドレスデコーダ６０は、アドレス信号発生部８０から供給されるアドレス信号に従って選択信号を出力してスイッチＳＷ１の１つを選択し、対応するゲート線５４に接続されたＴＦＴ５２のゲートに制御信号Ｖｏｎを供給する。一方、マルチプレクサ６６のアドレスデコーダ６８は、アドレス信号発生部８０から供給されるアドレス信号に従って選択信号を出力してスイッチＳＷ２を順次切り替え、ライン走査駆動部５８によって選択されたゲート線５４に接続された各画素５０の蓄積容量５３に保持された電荷情報である放射線画像情報を信号線５６を介して順次読み出す。
【００５０】
放射線検出器４０の選択されたゲート線５４に接続された各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された放射線画像情報は、カセッテ制御部４６の画像メモリ８２に一旦記憶される。
【００５１】
同様にして、ライン走査駆動部５８のアドレスデコーダ６０は、アドレス信号発生部８０から供給されるアドレス信号に従ってスイッチＳＷ１を順次切り替え、各ゲート線５４に接続されている各画素５０の蓄積容量５３に保持された電荷情報である放射線画像情報を信号線５６を介して読み出し、マルチプレクサ６６及びＡ／Ｄ変換器７０を介してカセッテ制御部４６の画像メモリ８２に記憶させる。
【００５２】
画像メモリ８２に記憶された放射線画像情報は、送受信機４８を介して、無線通信によりコンソール２８に送信される。
【００５３】
コンソール２８に送信された放射線画像情報は、送受信機９６によって受信され、画像処理部１００において所定の画像処理が施された後、患者情報管理部１０２に登録されている患者１４の患者情報と関連付けられた状態で画像メモリ１０１に記憶される。
【００５４】
また、画像処理の施された放射線画像情報は、送受信機９６から表示装置２６に送信される。受信機９０によって放射線画像情報を受信した表示装置２６は、表示制御部９２によって表示部９４を制御し、放射線画像を表示する。医師１８は、表示部９４に表示された放射線画像を確認しながら手術を遂行する。
【００５５】
このように、本実施形態に係る放射線画像撮影システム１０によれば、放射線検出カセッテ２４の送受信機４８は、ＲＦＩＤタグ１８２から無線通信により被写体ＩＤ情報を受信し、ＩＤ照合部１６０は、受信した被写体ＩＤ情報と、ＲＦＩＤメモリ１８４に記憶された各被写体ＩＤ情報とを照合して、一致する被写体ＩＤ情報があれば、当該一致する被写体ＩＤ情報と、線量記憶部１８６に記憶され且つ前記一致する被写体ＩＤ情報に応じた放射線照射線量とを対応付ける。
【００５６】
これにより、患者１４毎に放射線照射線量を管理することが可能となり、放射線画像の撮影時における放射線Ｘの放射線照射線量を患者１４毎に調整することができる。
【００５７】
また、送受信機４８は、前記対応付けた被写体ＩＤ情報及び放射線照射線量を無線通信によりコンソール２８の送受信機９６に送信し、コンソール２８のＩＤ照合部１６２は、受信された被写体ＩＤ情報と、ＲＦＩＤメモリ１８８に記憶された各被写体ＩＤ情報とを照合して、一致する被写体ＩＤ情報があれば、前記一致する被写体ＩＤ情報と共に受信した放射線照射線量に応じた撮影条件を撮影条件管理部９８に記憶（更新）させる。これにより、コンソール２８において、前記一致する被写体ＩＤ情報の患者１４に対する放射線照射線量（撮影条件）の管理を容易に且つ正確に行うことが可能になる。
【００５８】
さらに、コンソール２８では、撮影装置２２から患者１４の撮影条件の送信要求を受信したときに、撮影条件管理部９８に記憶された撮影条件を撮影装置２２に送信することで、放射線画像の撮影時に、当該患者１４に対して最適な放射線照射線量の放射線Ｘを照射することが可能となる。
【００５９】
さらにまた、放射線検出カセッテ２４とコンソール２８との間、放射線検出カセッテ２４と撮影装置２２との間、撮影装置２２とコンソール２８との間、コンソール２８と表示装置２６との間及び放射線検出カセッテ２４とＲＦＩＤタグ１８２との間では、ＵＷＢの無線通信により信号の送受信が行われている。すなわち、撮影装置２２、放射線検出カセッテ２４、表示装置２６、コンソール２８及びＲＦＩＤタグ１８２間では、該信号を送受信するためのケーブルが連結されていないため、例えば、手術室１２の床面にこれらのケーブルが配設されることがなく、医師１８等の作業に支障を来すおそれがない。従って、医師１８は、自己の作業を効率よく行うことが可能となる。また、前記無線通信をＵＷＢとすることで、従来の無線通信と比較して、消費電力の低減、耐フェージング性の向上及び高速通信化の向上を図ることができる。
【００６０】
なお、本実施形態に係る放射線画像撮影システム１０では、被写体ＩＤ情報及び放射線照射線量を、送受信機４８から無線通信により送受信機９６に送信しているが、これに代えて、送受信機４８から送受信機７６を介して送受信機９６に無線通信により送信（転送）してもよい。
【００６１】
また、本実施形態に係る放射線画像撮影システム１０では、前述したように、ＩＤ照合部１６０は、送受信機４８が受信した被写体ＩＤ情報と、ＲＦＩＤメモリ１８４内に記憶されている被写体ＩＤ情報とが一致する場合に、前記一致する被写体ＩＤ情報と、線量記憶部１８６に記憶されている放射線照射線量とを対応付けるようにしている。これを、下記（１）又は（２）のように変更しても、上述した本実施形態の効果が得られることは勿論である。
【００６２】
（１）撮影条件管理部９８に、被写体ＩＤ情報の患者１４に応じた放射線照射線量を含む撮影条件を、患者１４毎（被写体毎）に予め記憶させておく。送受信機４８は、受信した被写体ＩＤ情報を送受信機９６に送信する。ＩＤ照合部１６２は、送受信機９６が受信した前記被写体ＩＤ情報と、ＲＦＩＤメモリ１８８内に記憶されている各被写体ＩＤ情報とを照合して、一致する被写体ＩＤ情報があれば、前記一致する被写体ＩＤ情報と、この被写体ＩＤ情報に対応する撮影条件管理部９８内の放射線照射線量（撮影条件）とを対応付ける。
【００６３】
（２）ＩＤ照合部１６０は、送受信機４８が受信した被写体ＩＤ情報と、ＲＦＩＤメモリ１８４内に記憶されている各被写体ＩＤ情報とを照合して、一致する被写体ＩＤ情報があれば、前記一致する被写体ＩＤ情報を送受信機４８から無線通信により送受信機９６に送信し、前記一致する被写体ＩＤ情報と、この被写体ＩＤ情報に対応する撮影条件管理部９８内の放射線照射線量（撮影条件）とを対応付ける。
【００６４】
また、本実施形態に係る放射線画像撮影システム１０では、医師１８又は放射線技師の撮影スイッチ７２の操作に起因して放射線画像の撮影が行われるが、医師１８又は前記放射線技師によるコンソール２８の操作に起因して放射線画像の撮影が行われるようにしてもよい。
【００６５】
さらに、本実施形態に係る放射線画像撮影システム１０では、例えば、放射線検出カセッテ２４に収容される放射線検出器４０は、入射した放射線Ｘの線量を光電変換層５１によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【００６６】
また、光変換方式の放射線検出器を利用して放射線画像情報を取得することもできる。この光変換方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００６７】
さらに、放射線検出カセッテ２４は、手術室１２等で使用されるとき、血液やその他の雑菌が付着するおそれがある。そこで、放射線検出カセッテ２４を防水性、密閉性を有する構造とし、必要に応じて殺菌洗浄することにより、１つの放射線検出カセッテ２４を繰り返し続けて使用することができる。
【００６８】
さらにまた、放射線検出カセッテ２４は、手術室１２で使用される場合に限られるものではなく、例えば、検診や病院内での回診にも適用することができる。
【００６９】
また、放射線検出カセッテ２４と外部機器との間での無線通信は、通常の電波による通信に代えて、赤外線等を用いた光無線通信で行うようにしてもよい。
【００７０】
さらに、図７に示すように放射線検出カセッテ５００を構成すると、一層好適である。
【００７１】
すなわち、放射線検出カセッテ５００には、ケーシング５０２の放射線照射面側に、撮影領域及び撮影位置の基準となるガイド線５０４が形成される。このガイド線５０４を用いて、放射線検出カセッテ５００に対する被写体（患者１４）の位置決めを行い、また、放射線Ｘの照射範囲を設定することにより、放射線画像情報を適切な撮影領域に記録することができる。
【００７２】
放射線検出カセッテ５００の撮影領域外の部位には、当該放射線検出カセッテ５００に係る各種情報を表示する表示部５０６を配設する。この表示部５０６には、放射線検出カセッテ５００に記録される患者１４のＩＤ情報、放射線検出カセッテ５００の使用回数、累積曝射線量、放射線検出カセッテ５００に内蔵されているバッテリ４４の充電状態（残容量）、放射線画像情報の撮影条件、患者１４の放射線検出カセッテ５００に対するポジショニング画像等を表示させる。この場合、放射線技師は、例えば、表示部５０６に表示されたＩＤ情報に従って患者１４を確認すると共に、当該放射線検出カセッテ５００が使用可能な状態にあることを事前に確認し、表示されたポジショニング画像に基づいて患者１４の所望の撮影部位を放射線検出カセッテ５００に位置決めして、最適な放射線画像情報の撮影を行うことができる。
【００７３】
また、放射線検出カセッテ５００に取手部５０８を形成することにより、当該放射線検出カセッテ５００の取扱い、持ち運びが容易になる。
【００７４】
放射線検出カセッテ５００の側部には、ＡＣアダプタの入力端子５１０と、ＵＳＢ（Ｕｎｉｖｅｒｓａｌ  Ｓｅｒｉａｌ  Ｂｕｓ）端子５１２と、メモリカード５１４を装填するためのカードスロット５１６とを配設すると好適である。
【００７５】
入力端子５１０は、放射線検出カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該放射線検出カセッテ５００を直ちに使用可能な状態とすることができる。
【００７６】
ＵＳＢ端子５１２又はカードスロット５１６は、放射線検出カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００７７】
手術室１２や病院内の必要な箇所には、図８に示すように、放射線検出カセッテ２４が装填され、内蔵されるバッテリ４４の充電を行うクレードル５１８を配置すると好適である。この場合、クレードル５１８は、バッテリ４４の充電だけでなく、クレードル５１８の無線通信機能又は有線通信機能を用いて、ＲＩＳ２９、ＨＩＳ３１、コンソール２８等の外部機器との間で必要な情報の送受信を行うようにしてもよい。送受信する情報には、クレードル５１８に装填された放射線検出カセッテ２４に記録された放射線画像情報を含めることができる。
【００７８】
また、クレードル５１８に表示部５２０を配設し、この表示部５２０に対して、装填された当該放射線検出カセッテ２４の充電状態や、放射線検出カセッテ２４から取得した放射線画像情報を含む必要な情報を表示させるようにしてもよい。
【００７９】
また、複数のクレードル５１８をネットワークに接続し、各クレードル５１８に装填されている放射線検出カセッテ２４の充電状態をネットワークを介して収集し、使用可能な充電状態にある放射線検出カセッテ２４の所在を確認できるように構成することもできる。
【００８０】
なお、本発明に係る放射線画像撮影システムは、上述の実施の形態に限らず、本発明の要旨を逸脱することなく、種々の構成を採り得ることは勿論である。
【図面の簡単な説明】
【００８１】
【図１】本実施形態の放射線画像撮影システムが設置された手術室の説明図である。
【図２】図１の放射線検出カセッテの内部構成図である。
【図３】図１の撮影装置、放射線検出カセッテ及び手術台の側面図である。
【図４】図２の放射線検出器の回路構成ブロック図である。
【図５】図１の放射線画像撮影システムの構成ブロック図である。
【図６】ＲＦＩＤタグからの被写体ＩＤ情報の送信から放射線の照射に至るまでの放射線画像撮影システムの動作を説明するためのフローチャートである。
【図７】放射線検出カセッテの他の構成図である。
【図８】放射線検出カセッテの充電を行うクレードルの構成図である。
【符号の説明】
【００８２】
１０…放射線画像撮影システム
１２…手術室
１４…患者
１６…手術台
２２…撮影装置
２４、５００…放射線検出カセッテ
２６…表示装置
２８…コンソール
２９…ＲＩＳ
３１…ＨＩＳ
４０…放射線検出器
４４…バッテリ
４６…カセッテ制御部
４８、７６、９６…送受信機
５０…画素
７４…放射線源
８２、１０１…画像メモリ
８４…カセッテＩＤメモリ
９０…受信機
９４…表示部
９８…撮影条件管理部
１００…画像処理部
１０２…患者情報管理部
１０４…カセッテ情報管理部
１６０、１６２…ＩＤ照合部
１８２…ＲＦＩＤタグ
１８４、１８８…ＲＦＩＤメモリ
１８６…線量記憶部
【図１】
0005294725.tif 000002
【図２】
0005294725.tif 000003
【図３】
0005294725.tif 000004
【図４】
0005294725.tif 000005
【図５】
0005294725.tif 000006
【図６】
0005294725.tif 000007
【図７】
0005294725.tif 000008
【図８】
0005294725.tif 000009